Podtech/llm-jp-corpus-v4-ja_patent huggingface dataset:
【手続補正書】
【提出日】令和3年9月27日(2021.9.27)
【手続補正１】
【補正対象書類名】特許請求の範囲
【補正対象項目名】全文
【補正方法】変更
【補正の内容】
【特許請求の範囲】
【請求項１】
軸直方向の先端側に植毛面を有するヘッド部と、
前記ヘッド部より前記軸直方向の後端側に配置されるハンドル部と、
前記ヘッド部と前記ハンドル部を接続するネック部と、
前記植毛面と前記ハンドル部との間に配置され、前記ヘッド部に対する前記軸直方向の荷重により変形する変形部と、
を有し、
前記変形部は、少なくともネック部を含み、
前記ネック部は、ショアＡ硬度が９０以下の軟質樹脂を有して形成され、
前記変形部は、口にくわえたままの状態で乳幼児が転倒した際でも乳幼児の口腔内が損傷することを抑制できるように変形することを特徴とする歯ブラシ。
【請求項２】
軸直方向の先端側に植毛面を有するヘッド部と、
前記ヘッド部より前記軸直方向の後端側に配置されるハンドル部と、
前記ヘッド部と前記ハンドル部を接続するネック部と、
前記植毛面と前記ハンドル部との間に配置され、前記ヘッド部に対する前記軸直方向の荷重により変形する変形部と、
を有し、
前記変形部は、少なくともネック部を含み、
前記ネック部は、ショアＡ硬度が９０以下の軟質樹脂を有して形成され、
前記ヘッド部における前記植毛面の前記軸直方向の中央位置と、前記ハンドル部の前記先端側の端部とを、前記植毛面と直交する第１の方向で前記植毛面とは逆側からそれぞれ支持した状態で、前記ネック部の前記軸直方向の中央位置に前記第１の方向で前記植毛面側から前記植毛面とは逆側に１０ｍｍ／ｍｉｎの速度で荷重を付与し前記変形部を５ｍｍ変形させたときの最大荷重は３０Ｎ以下であり、
前記ヘッド部における前記植毛面の前記軸直方向の中央位置と、前記ハンドル部の前記先端側の端部とを、前記軸直方向および前記第１の方向と直交する第２の方向の一方側からそれぞれ支持した状態で、前記ネック部の前記軸直方向の中央位置に前記第２の方向の他方側から前記一方側に１０ｍｍ／ｍｉｎの速度で荷重を付与し前記変形部を５ｍｍ変形させたときの最大荷重は３０Ｎ以下であることを特徴とする歯ブラシ。
【請求項３】
前記ハンドル部は、ショアＡ硬度が９０以下の軟質樹脂のみで形成されることを特徴とする請求項１または２に記載の歯ブラシ。
【請求項４】
前記変形部の変形は、前記ネック部と前記ハンドル部が連動して曲がることを特徴とする請求項３に記載の歯ブラシ。
【請求項５】
前記ネック部は、硬質樹脂で形成された硬質部分を有し、
前記ネック部の前記軸直方向の中央部分における前記軸直方向と直交する面において、前記ネック部の断面積に対する前記硬質部分の断面積の割合は、５％以上、５０％未満である、
請求項１から４のいずれか一項に記載の歯ブラシ。
【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
遊技を行う遊技機において、
遊技が進行可能な遊技状態と、遊技が進行不可能な管理者状態とに制御可能な状態制御手段と、
前記遊技機で発生した異常を検知する異常検知手段と、
前記異常検知手段による異常の検知に応じた異常処理を実行する異常処理手段と、
前記管理者状態に制御されていることを示す制御フラグの状態を制御する制御フラグ制御手段と、
特定時間間隔毎に実行される外部出力処理において、前記制御フラグがセットされている場合に外部機器に出力される外部出力信号をＯＮ状態に更新し、前記制御フラグがクリアされている場合に前記外部出力信号をＯＦＦ状態に更新する外部出力信号更新手段と、を備え、
前記状態制御手段により制御可能な前記管理者状態には、遊技者にとっての有利度を確認可能な第１管理者状態と、前記有利度を変更可能な第２管理者状態とがあり、
前記状態制御手段は、管理者による確認開始操作を契機に前記第１管理者状態に制御し、管理者による確認終了操作を契機に該第１管理者状態を終了させ、
前記制御フラグ制御手段は、前記確認開始操作を契機に前記第１管理者状態に制御されていることを示す制御フラグをセットし、前記確認終了操作がされた後、所定の遅延時間が経過した以後に該制御フラグをクリアし、
前記確認終了操作の検出に要する時間は、前記特定時間よりも短い時間であり、
前記所定の遅延時間は、前記特定時間以上の時間であり、
前記異常処理手段は、
前記遊技状態において前記異常検知手段によって異常が検知されたときに、当該遊技状態において前記異常処理を実行し、
前記第２管理者状態において前記異常検知手段によって異常が検知されたときに、当該第２管理者状態が終了した後の前記遊技状態において前記異常処理を実行し、
前記状態制御手段によって前記第２管理者状態に制御されたときに前記外部出力信号がＯＮ状態となり、
前記異常処理が実行されている場合は、前記第２管理者状態が終了した後も前記外部出力信号がＯＮ状態であるのに対して、前記異常処理が実行されていない場合は、前記第２管理者状態が終了した後に前記外部出力信号がＯＦＦ状態となる、遊技機。
【手続補正２】
【補正対象書類名】明細書
【補正対象項目名】０００７
【補正方法】変更
【補正の内容】
【０００７】
遊技を行う遊技機において、
遊技が進行可能な遊技状態と、遊技が進行不可能な管理者状態とに制御可能な状態制御手段と、
前記遊技機で発生した異常を検知する異常検知手段と、
前記異常検知手段による異常の検知に応じた異常処理を実行する異常処理手段と、
前記管理者状態に制御されていることを示す制御フラグの状態を制御する制御フラグ制御手段と、
特定時間間隔毎に実行される外部出力処理において、前記制御フラグがセットされている場合に外部機器に出力される外部出力信号をＯＮ状態に更新し、前記制御フラグがクリアされている場合に前記外部出力信号をＯＦＦ状態に更新する外部出力信号更新手段と、を備え、
前記状態制御手段により制御可能な前記管理者状態には、遊技者にとっての有利度を確認可能な第１管理者状態と、前記有利度を変更可能な第２管理者状態とがあり、
前記状態制御手段は、管理者による確認開始操作を契機に前記第１管理者状態に制御し、管理者による確認終了操作を契機に該第１管理者状態を終了させ、
前記制御フラグ制御手段は、前記確認開始操作を契機に前記第１管理者状態に制御されていることを示す制御フラグをセットし、前記確認終了操作がされた後、所定の遅延時間が経過した以後に該制御フラグをクリアし、
前記確認終了操作の検出に要する時間は、前記特定時間よりも短い時間であり、
前記所定の遅延時間は、前記特定時間以上の時間であり、
前記異常処理手段は、
前記遊技状態において前記異常検知手段によって異常が検知されたときに、当該遊技状態において前記異常処理を実行し、
前記第２管理者状態において前記異常検知手段によって異常が検知されたときに、当該第２管理者状態が終了した後の前記遊技状態において前記異常処理を実行し、
前記状態制御手段によって前記第２管理者状態に制御されたときに前記外部出力信号がＯＮ状態となり、
前記異常処理が実行されている場合は、前記第２管理者状態が終了した後も前記外部出力信号がＯＮ状態であるのに対して、前記異常処理が実行されていない場合は、前記第２管理者状態が終了した後に前記外部出力信号がＯＦＦ状態となる。
なお、遊技機は、以下の構成であってもよい。
（１）  遊技を行う遊技機（スロットマシン１、パチンコ遊技機）において、
前記遊技機の管理者（店員等の管理者）による所定操作（設定変更状態への移行のために設定キースイッチ３７をｏｎ状態としてからスロットマシン１の電源をｏｎする操作、設定確認状態への移行のためにスロットマシン１の電源がｏｎ状態のときに設定キースイッチ３７をｏｎする操作）に基づき、遊技が進行可能な遊技状態（遊技モード）から遊技が進行不可能な管理者状態（設定変更状態および設定確認状態といった管理者モード）へと状態移行する状態移行手段（メイン制御部４１による設定確認処理および設定変更処理）と、
前記遊技機で発生した異常（投入エラーおよび払出エラーなど）を検知する異常検知手段（メイン制御部４１）と、
前記異常検知手段による異常の検知に応じた異常処理（エラーコードを表示するなどのエラー処理（開始待ち中エラー処理のＳｈ５など））を実行する異常処理手段（メイン制御部４１）と、
所定信号（設定中信号、投入エラー信号、払出エラー信号）を外部出力する外部出力手段（メイン制御部４１）とを備え、
前記異常処理手段は、
前記遊技状態において前記異常検知手段によって異常が検知されたときには、当該遊技状態において前記異常処理を実行し（図１３に示すように、エラーコードを表示するなどのエラー処理は、設定確認処理中および設定変更処理中に実行されずに遊技開始待ち処理中に実行される）、
前記管理者状態において前記異常検知手段によって異常が検知されたときには、当該管理者状態から状態移行した後の前記遊技状態において前記異常処理を実行し（図１３に示すように、設定確認処理中および設定変更処理中のタイマ割込処理でエラーを検知した場合でも、その後の遊技開始待ち処理でエラー処理が実行される）、
前記外部出力手段は、前記状態移行手段によって前記遊技状態から前記管理者状態に状態移行したときに前記所定信号を外部出力する（図８、図９、図１０、および図２２に示すように、設定キースイッチがｏｆｆからｏｎに切り替わって管理者モードに状態移行したときに外部出力信号がｏｆｆからｏｎに切り替わる）。
【手続補正書】
【提出日】令和3年9月9日(2021.9.9)
【手続補正１】
【補正対象書類名】特許請求の範囲
【補正対象項目名】全文
【補正方法】変更
【補正の内容】
【特許請求の範囲】
【請求項１】
脇の下から肩にループ状に回して保持される左右それぞれのショルダー保持部材と、身体の背面側において左右のショルダー保持部材を所望の間隔で連結するためのショルダー連結部材と、身体の背面側において左右のショルダー保持部材のそれぞれを下方に牽引するためのショルダー牽引部材とからなることを特徴とする腹式呼吸矯正補助器具。
【請求項２】
ショルダー保持部材に対して、脇の下から肩にまわしてループ状にしたときのループ径を調節して固定するための調節固定部材が設けられていることを特徴とする請求項１に記載の腹式呼吸矯正補助器具。
【請求項３】
ショルダー牽引部材が、身体の背面側において左右のショルダー保持部材のループから下方に延ばされていることを特徴とする請求項１に記載の腹式呼吸矯正補助器具。
【手続補正書】
【提出日】令和3年9月28日(2021.9.28)
【手続補正１】
【補正対象書類名】特許請求の範囲
【補正対象項目名】全文
【補正方法】変更
【補正の内容】
【特許請求の範囲】
【請求項１】
主制御部と、
前記主制御部に接続された払出制御部と、
前記主制御部又は前記払出制御部に接続された複数の入出力装置と、を備え、
前記主制御部は、第１コネクタを実装可能であり、且つ、前記払出制御部は、第２コネクタを実装可能であり、
前記主制御部に前記第１コネクタが実装された場合及び前記払出制御部に前記第２コネクタが実装された場合において、前記主制御部及び前記払出制御部と接続し、且つ、試験装置に接続するための接続中継部は、前記第１コネクタとハーネスを介して接続するための第３コネクタと、前記第２コネクタとハーネスを介して接続するための第４コネクタとを有し、
前記接続中継部からの試験信号は、前記試験装置に備えられた、複数のバッファ部に接続され、
前記主制御部を構成する主制御基板は、試験信号を前記接続中継部に出力するため主制御試験信号出力回路を実装可能であり、
前記払出制御部を構成する払出制御基板は、試験信号を前記接続中継部に出力するため払出制御試験信号出力回路を実装可能であり、
前記払出制御試験信号出力回路は、遊技球が賞球されるたびに出力される賞球信号を表す試験信号を出力可能であり、
前記主制御試験信号出力回路は、前記賞球信号を除く試験信号を出力可能であり、
前記接続中継部は、
特別図柄が変動中であることを表す特別図柄変動中信号と、
前記特別図柄が小当り遊技状態に移行する態様で停止表示されたことを表す特別図柄小当り信号と、
特別電動役物が作動状態であることを表す特別電動役物作動中信号と、
前記特別電動役物が開放状態であることを表す特別電動役物開放信号と、を前記試験信号として前記試験装置に出力可能であり、
前記主制御部は、
前記特別図柄により前記特別電動役物が作動する場合、
前記特別図柄変動中信号がオンからオフになってから特別図柄の組合せを表示する時間が経過した後に、前記特別図柄小当り信号をオンにし、
前記特別図柄小当り信号がオンになった後、前記特別電動役物作動中信号をオンにし、前記特別電動役物開放信号を所定回数オンにし、
前記特別電動役物作動中信号が最後にオフになってから所定時間が経過した後に、前記特別電動役物作動中信号をオフにする
ことを特徴とする遊技機。
【手続補正２】
【補正対象書類名】明細書
【補正対象項目名】０００２
【補正方法】削除
【補正の内容】
【手続補正３】
【補正対象書類名】明細書
【補正対象項目名】０００３
【補正方法】変更
【補正の内容】
【０００３】
従来、中継基板を介して主制御基板を試験装置に接続可能な遊技機が特許文献１に提案されている（例えば、特許文献１参照）。
【手続補正４】
【補正対象書類名】明細書
【補正対象項目名】０００４
【補正方法】変更
【補正の内容】
【０００４】
【特許文献１】特開２００３−２１０７９６号公報
【手続補正５】
【補正対象書類名】明細書
【補正対象項目名】０００５
【補正方法】変更
【補正の内容】
【０００５】
上述したような従来の遊技機のように、遊技機と試験装置とを接続する場合、中継基板を介して接続するのが一般的だが、遊技性等の遊技機の仕様に応じた中継基板を用意する必要がある。
【手続補正６】
【補正対象書類名】明細書
【補正対象項目名】０００６
【補正方法】変更
【補正の内容】
【０００６】
本発明は、遊技機の仕様が変わったとしても、中継基板を変更することなく、また、最低限の変更により試験装置と接続することが可能な遊技機を提供することを目的とする。
【手続補正７】
【補正対象書類名】明細書
【補正対象項目名】０００７
【補正方法】変更
【補正の内容】
【０００７】
本発明に係る遊技機は、
主制御部（主制御回路６１００）と、
前記主制御部に接続された払出制御部（払出・発射制御回路６３００）と、
前記主制御部又は前記払出制御部に接続された複数の入出力装置（各種スイッチ類、各種ソレノイド類等）と、を備え、
前記主制御部は、第１コネクタ（ＣＮ１００）を実装可能であり、且つ、前記払出制御部は、第２コネクタ（ＣＮ１２）を実装可能であり、
前記主制御部に前記第１コネクタが実装された場合及び前記払出制御部に前記第２コネクタが実装された場合において、前記主制御部及び前記払出制御部と接続し、且つ、試験装置に接続するための接続中継部（試験中継端子板７００１）は、前記第１コネクタとハーネスを介して接続するための第３コネクタ（ＣＮ１）と、前記第２コネクタとハーネスを介して接続するための第４コネクタ（ＣＮ５）とを有し、
前記接続中継部からの試験信号は、前記試験装置に備えられた、複数のバッファ部（バッファ基板７００４ａ〜７００４ｆ）に接続され、
前記主制御部を構成する主制御基板（６０３０）は、試験信号を前記接続中継部に出力するため主制御試験信号出力回路（主制御回路６１００のＢＵＦ７〜１０等）を実装可能であり、
前記払出制御部を構成する払出制御基板は、試験信号を前記接続中継部に出力するため払出制御試験信号出力回路（試験信号出力回路７０１２）を実装可能であり、
前記払出制御試験信号出力回路は、遊技球が賞球されるたびに出力される賞球信号（賞球信号１）を表す試験信号を出力可能であり、
前記主制御試験信号出力回路は、前記賞球信号を除く試験信号を出力可能であり、
前記接続中継部は、
特別図柄が変動中であることを表す特別図柄変動中信号と、
前記特別図柄が小当り遊技状態に移行する態様で停止表示されたことを表す特別図柄小当り信号と、
特別電動役物が作動状態であることを表す特別電動役物作動中信号と、
前記特別電動役物が開放状態であることを表す特別電動役物開放信号と、を前記試験信号として前記試験装置に出力可能であり、
前記主制御部は、
前記特別図柄により前記特別電動役物が作動する場合、
前記特別図柄変動中信号がオンからオフになってから特別図柄の組合せを表示する時間が経過した後に、前記特別図柄小当り信号をオンにし、
前記特別図柄小当り信号がオンになった後、前記特別電動役物作動中信号をオンにし、前記特別電動役物開放信号を所定回数オンにし、
前記特別電動役物作動中信号が最後にオフになってから所定時間が経過した後に、前記特別電動役物作動中信号をオフにする
構成を有している。
【手続補正８】
【補正対象書類名】明細書
【補正対象項目名】０００８
【補正方法】変更
【補正の内容】
【０００８】
本発明は、遊技機の仕様が変わったとしても、中継基板を変更することなく、また、最低限の変更により試験装置と接続することが可能な遊技機を提供することができる。
【手続補正書】
【提出日】令和3年9月28日(2021.9.28)
【手続補正１】
【補正対象書類名】特許請求の範囲
【補正対象項目名】全文
【補正方法】変更
【補正の内容】
【特許請求の範囲】
【請求項１】
主制御部と、
前記主制御部に接続された払出制御部と、
前記主制御部又は前記払出制御部に接続された複数の入出力装置と、を備え、
前記主制御部及び前記払出制御部は、接続中継部を介して試験装置に接続可能であり、
前記接続中継部は、
前記主制御部から出力される試験信号の一部がデータライン及びチップセレクトラインを介して複数のバッファ回路に入力し、
前記チップセレクトラインにより前記バッファ回路の第１バッファ回路に入力された試験信号によって複数のゲート回路の中からゲート回路を選択し、
前記データラインを介して前記バッファ回路の第２バッファ回路に試験信号を入力させ、
前記第１バッファ回路から出力されたチップセレクト信号により選択されたゲート回路から前記試験装置に試験信号を出力させ、
前記チップセレクトラインは、前記主制御部のアドレスバスの一部と、チップセレクト端子から構成され、
前記接続中継部は、前記チップセレクトラインから入力された制御信号により、複数の前記ゲート回路から試験信号を出力するゲート回路を選択するためのチップセレクタを有し、
前記第２バッファ回路は、複数の入力端子を有し、
前記第２バッファ回路の入力端子には、フィルタ回路が接続されている
ことを特徴とする遊技機。
【手続補正２】
【補正対象書類名】明細書
【補正対象項目名】０００２
【補正方法】削除
【補正の内容】
【手続補正３】
【補正対象書類名】明細書
【補正対象項目名】０００３
【補正方法】変更
【補正の内容】
【０００３】
従来、中継基板を介して主制御基板を試験装置に接続可能な遊技機が特許文献１に提案されている（例えば、特許文献１参照）。
【手続補正４】
【補正対象書類名】明細書
【補正対象項目名】０００４
【補正方法】変更
【補正の内容】
【０００４】
【特許文献１】特開２００３−２１０７９６号公報
【手続補正５】
【補正対象書類名】明細書
【補正対象項目名】０００５
【補正方法】変更
【補正の内容】
【０００５】
上述したような従来の遊技機のように、遊技機と試験装置とを接続する場合、中継基板を介して接続するのが一般的だが、遊技性等の遊技機の仕様に応じた中継基板を用意する必要がある。
【手続補正６】
【補正対象書類名】明細書
【補正対象項目名】０００６
【補正方法】変更
【補正の内容】
【０００６】
本発明は、遊技機の仕様が変わったとしても、中継基板を変更することなく、また、最低限の変更により試験装置と接続することが可能な遊技機を提供することを目的とする。
【手続補正７】
【補正対象書類名】明細書
【補正対象項目名】０００７
【補正方法】変更
【補正の内容】
【０００７】
本発明に係る遊技機は、
主制御部（主制御回路６１００）と、
前記主制御部に接続された払出制御部（払出・発射制御回路６３００）と、
前記主制御部又は前記払出制御部に接続された複数の入出力装置（各種スイッチ類、各種ソレノイド類等）と、を備え、
前記主制御部及び前記払出制御部は、接続中継部（試験中継端子板７００１）を介して試験装置に接続可能であり、
前記接続中継部は、
前記主制御部から出力される試験信号の一部がデータライン及びチップセレクトラインを介して複数のバッファ回路（試験中継端子板７００１のＢＵＦ１、２）に入力し、
前記チップセレクトラインにより前記バッファ回路の第１バッファ回路（試験中継端子板７００１のＢＵＦ２）に入力された試験信号によって複数のゲート回路（試験中継端子板７００１のＧＡＴＥ１〜６）の中からゲート回路を選択し、
前記データラインを介して前記バッファ回路の第２バッファ回路（試験中継端子板７００１のＢＵＦ１）に試験信号を入力させ、
前記第１バッファ回路から出力されたチップセレクト信号により選択されたゲート回路から前記試験装置に試験信号を出力させ、
前記チップセレクトラインは、前記主制御部のアドレスバスの一部と、チップセレクト端子から構成され、
前記接続中継部は、前記チップセレクトラインから入力された制御信号により、複数の前記ゲート回路から試験信号を出力するゲート回路を選択するためのチップセレクタ（チップセレクタＣＳ）を有し、
前記第２バッファ回路は、複数の入力端子（Ａ１〜Ａ８）を有し、
前記第２バッファ回路の入力端子には、フィルタ回路（フィルタＲＣ）が接続されている
構成を有している。
【手続補正８】
【補正対象書類名】明細書
【補正対象項目名】０００８
【補正方法】変更
【補正の内容】
【０００８】
本発明は、遊技機の仕様が変わったとしても、中継基板を変更することなく、また、最低限の変更により試験装置と接続することが可能な遊技機を提供することができる。
【手続補正書】
【提出日】令和3年9月28日(2021.9.28)
【手続補正１】
【補正対象書類名】特許請求の範囲
【補正対象項目名】全文
【補正方法】変更
【補正の内容】
【特許請求の範囲】
【請求項１】
主制御部と、
前記主制御部に接続された払出制御部と、
前記主制御部又は前記払出制御部に接続された複数の入出力装置と、を備え、
前記主制御部及び前記払出制御部は、接続中継部を介して試験装置に接続可能であり、
前記接続中継部は、
前記主制御部から出力される試験信号が入力されるバッファ回路と、
前記バッファ回路から出力される試験信号が入力されるゲート回路と、を有し、
前記ゲート回路から出力される試験信号は、スイッチ回路を経由し、前記試験装置に接続するためのコネクタから出力可能に構成され、
前記スイッチ回路は、前記ゲート回路から出力される複数の試験信号に応じた入力端子と前記入力端子に対応する出力端子との間で前記コネクタの複数の試験信号に対して、グランド接地することが可能であり、
前記主制御部は、ＣＰＵ、ＲＡＭ及びＲＯＭを内蔵したマイクロプロセッサを有し、
前記マイクロプロセッサに設けられた複数のデータバス端子に接続された配線は、前記コネクタとは異なるコネクタを経由して前記ゲート回路の入力端子に接続され、
前記バッファ回路は、複数の出力端子を有し、
前記マイクロプロセッサの前記データバス端子は、前記ゲート回路の入力端子に接続される前に前記バッファ回路の入力端子に接続され、
前記バッファ回路の入力端子から入力された前記試験信号は、前記バッファ回路内で波形整形されて前記バッファ回路の出力端子から出力され、出力された前記試験信号が前記ゲート回路に入力される
ことを特徴とする遊技機。
【手続補正２】
【補正対象書類名】明細書
【補正対象項目名】０００２
【補正方法】削除
【補正の内容】
【手続補正３】
【補正対象書類名】明細書
【補正対象項目名】０００３
【補正方法】変更
【補正の内容】
【０００３】
従来、中継基板を介して主制御基板を試験装置に接続可能な遊技機が特許文献１に提案されている（例えば、特許文献１参照）。
【手続補正４】
【補正対象書類名】明細書
【補正対象項目名】０００４
【補正方法】変更
【補正の内容】
【０００４】
【特許文献１】特開２００３−２１０７９６号公報
【手続補正５】
【補正対象書類名】明細書
【補正対象項目名】０００５
【補正方法】変更
【補正の内容】
【０００５】
上述したような従来の遊技機のように、遊技機と試験装置とを接続する場合、中継基板を介して接続するのが一般的だが、遊技性等の遊技機の仕様に応じた中継基板を用意する必要がある。
【手続補正６】
【補正対象書類名】明細書
【補正対象項目名】０００６
【補正方法】変更
【補正の内容】
【０００６】
本発明は、遊技機の仕様が変わったとしても、中継基板を変更することなく、また、最低限の変更により試験装置と接続することが可能な遊技機を提供することを目的とする。
【手続補正７】
【補正対象書類名】明細書
【補正対象項目名】０００７
【補正方法】変更
【補正の内容】
【０００７】
本発明に係る遊技機は、
主制御部（主制御回路６１００）と、
前記主制御部に接続された払出制御部（払出・発射制御回路６３００）と、
前記主制御部又は前記払出制御部に接続された複数の入出力装置（各種スイッチ類、各種ソレノイド類等）と、を備え、
前記主制御部及び前記払出制御部は、接続中継部（試験中継端子板７００１）を介して試験装置に接続可能であり、
前記接続中継部は、
前記主制御部から出力される試験信号が入力されるバッファ回路（試験中継端子板７００１のＢＵＦ１）と、
前記バッファ回路から出力される試験信号が入力されるゲート回路（試験中継端子板７００１のＧＡＴＥ１〜６）と、を有し、
前記ゲート回路から出力される試験信号は、スイッチ回路（試験中継端子板７００１のＳＳＷ１〜ＳＳＷ６）を経由し、前記試験装置に接続するためのコネクタ（試験中継端子板７００１のコネクタＣＮ２〜４）から出力可能に構成され、
前記スイッチ回路は、前記ゲート回路から出力される複数の試験信号に応じた入力端子と前記入力端子に対応する出力端子との間で前記コネクタの複数の試験信号に対して、グランド接地することが可能であり、
前記主制御部は、ＣＰＵ（メインＣＰＵ６１０１）、ＲＡＭ（メインＲＡＭ６１０３）及びＲＯＭ（メインＲＯＭ６１０２）を内蔵したマイクロプロセッサを有し、
前記マイクロプロセッサに設けられた複数のデータバス端子（Ｄ０〜Ｄ７）に接続された配線は、前記コネクタとは異なるコネクタ（試験中継端子板７００１のコネクタＣＮ１）を経由して前記ゲート回路の入力端子に接続され、
前記バッファ回路は、複数の出力端子（Ｙ１〜Ｙ８）を有し、
前記マイクロプロセッサの前記データバス端子は、前記ゲート回路の入力端子に接続される前に前記バッファ回路の入力端子（Ａ１〜Ａ８）に接続され、
前記バッファ回路の入力端子から入力された前記試験信号は、前記バッファ回路内で波形整形されて前記バッファ回路の出力端子から出力され、出力された前記試験信号が前記ゲート回路に入力される
構成を有している。
【手続補正８】
【補正対象書類名】明細書
【補正対象項目名】０００８
【補正方法】変更
【補正の内容】
【０００８】
本発明は、遊技機の仕様が変わったとしても、中継基板を変更することなく、また、最低限の変更により試験装置と接続することが可能な遊技機を提供することができる。
【手続補正９】
【補正対象書類名】明細書
【補正対象項目名】３０６２
【補正方法】変更
【補正の内容】
【３０６２】
各ＳＳＷ１〜６は、入力端子Ｉ１〜Ｉ８と、出力端子Ｏ１〜Ｏ８とを有する。各ＳＳＷ１〜６の入力端子Ｉ１〜Ｉ８は、各ＧＡＴＥ１〜６の出力端子Ｑ１〜Ｑ８にそれぞれ接続されている。各ＳＳＷ１〜６は、スライドスイッチ又はディップスイッチにより構成され、各入力端子Ｉ１〜Ｉ８と各出力端子Ｑ１〜Ｑ８との間を個別に接続及び切断（グランド接地）することができる。
【手続補正書】
【提出日】令和3年9月28日(2021.9.28)
【手続補正１】
【補正対象書類名】特許請求の範囲
【補正対象項目名】全文
【補正方法】変更
【補正の内容】
【特許請求の範囲】
【請求項１】
主制御部と、
前記主制御部に接続された払出制御部と、
前記主制御部又は前記払出制御部に接続された複数の入出力装置と、を備え、
前記主制御部及び前記払出制御部は、接続中継部を介して試験装置に接続可能であり、
前記接続中継部は、
前記主制御部から出力される試験信号の一部がデータライン及びチップセレクトラインを介して複数のバッファ回路に入力し、
前記チップセレクトラインにより前記バッファ回路の第１バッファ回路に入力された試験信号によって複数のゲート回路の中からゲート回路を選択し、
前記データラインを介して前記バッファ回路の第２バッファ回路に試験信号を入力させ、
前記第１バッファ回路から出力されたチップセレクト信号により選択されたゲート回路から前記試験装置に試験信号を出力させ、
前記チップセレクトラインは、前記主制御部のアドレスバスの一部と、チップセレクト端子から構成され、
前記接続中継部は、
前記チップセレクトラインから入力された制御信号により、複数の前記ゲート回路から試験信号を出力するゲート回路を選択するためのチップセレクタを有し、
始動口に入賞した遊技媒体を検出する入賞検出スイッチの検出結果を表す始動口入賞信号と、
特別電動役物が作動状態であることを表す特別電動役物作動中信号と、を前記試験信号として前記試験装置に出力可能であり、
前記主制御部は、
前記始動口により前記特別電動役物が作動する場合、
前記始動口入賞信号がオフからオンになると、所定時間が経過した後、前記特別電動役物作動中信号をオンにする
ことを特徴とする遊技機。
【手続補正２】
【補正対象書類名】明細書
【補正対象項目名】０００２
【補正方法】削除
【補正の内容】
【手続補正３】
【補正対象書類名】明細書
【補正対象項目名】０００３
【補正方法】変更
【補正の内容】
【０００３】
従来、中継基板を介して主制御基板を試験装置に接続可能な遊技機が特許文献１に提案されている（例えば、特許文献１参照）。
【手続補正４】
【補正対象書類名】明細書
【補正対象項目名】０００４
【補正方法】変更
【補正の内容】
【０００４】
【特許文献１】特開２００３−２１０７９６号公報
【手続補正５】
【補正対象書類名】明細書
【補正対象項目名】０００５
【補正方法】変更
【補正の内容】
【０００５】
上述したような従来の遊技機のように、遊技機と試験装置とを接続する場合、中継基板を介して接続するのが一般的だが、遊技性等の遊技機の仕様に応じた中継基板を用意する必要がある。
【手続補正６】
【補正対象書類名】明細書
【補正対象項目名】０００６
【補正方法】変更
【補正の内容】
【０００６】
本発明は、遊技機の仕様が変わったとしても、中継基板を変更することなく、また、最低限の変更により試験装置と接続することが可能な遊技機を提供することを目的とする。
【手続補正７】
【補正対象書類名】明細書
【補正対象項目名】０００７
【補正方法】変更
【補正の内容】
【０００７】
本発明に係る遊技機は、
主制御部（主制御回路６１００）と、
前記主制御部に接続された払出制御部（払出・発射制御回路６３００）と、
前記主制御部又は前記払出制御部に接続された複数の入出力装置（各種スイッチ類、各種ソレノイド類等）と、を備え、
前記主制御部及び前記払出制御部は、接続中継部（試験中継端子板７００１）を介して試験装置に接続可能であり、
前記接続中継部は、
前記主制御部から出力される試験信号の一部がデータライン及びチップセレクトラインを介して複数のバッファ回路（試験中継端子板７００１のＢＵＦ１、２）に入力し、
前記チップセレクトラインにより前記バッファ回路の第１バッファ回路（試験中継端子板７００１のＢＵＦ２）に入力された試験信号によって複数のゲート回路（試験中継端子板７００１のＧＡＴＥ１〜６）の中からゲート回路を選択し、
前記データラインを介して前記バッファ回路の第２バッファ回路（試験中継端子板７００１のＢＵＦ１）に試験信号を入力させ、
前記第１バッファ回路から出力されたチップセレクト信号により選択されたゲート回路から前記試験装置に試験信号を出力させ、
前記チップセレクトラインは、前記主制御部のアドレスバスの一部と、チップセレクト端子から構成され、
前記接続中継部は、
前記チップセレクトラインから入力された制御信号により、複数の前記ゲート回路から試験信号を出力するゲート回路を選択するためのチップセレクタ（チップセレクタＣＳ）を有し、
始動口に入賞した遊技媒体を検出する入賞検出スイッチの検出結果を表す始動口入賞信号と、
特別電動役物が作動状態であることを表す特別電動役物作動中信号と、を前記試験信号として前記試験装置に出力可能であり、
前記主制御部は、
前記始動口により前記特別電動役物が作動する場合、
前記始動口入賞信号がオフからオンになると、所定時間が経過した後、前記特別電動役物作動中信号をオンにする
構成を有している。
【手続補正８】
【補正対象書類名】明細書
【補正対象項目名】０００８
【補正方法】変更
【補正の内容】
【０００８】
本発明は、遊技機の仕様が変わったとしても、中継基板を変更することなく、また、最低限の変更により試験装置と接続することが可能な遊技機を提供することができる。
【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
遊技領域が形成された遊技盤を備え、遊技者による発射操作によって発射された遊技球が前記遊技領域に設けられた始動口に入球することにより図柄の変動表示を行い、該図柄の変動表示結果として当り結果を導出する場合に、所定の遊技利益を付与する遊技機であ
って、
前記図柄の変動時間を決定する変動時間決定手段と、
前記変動時間決定手段が決定した変動時間に基づいて演出表示装置にて所定の演出を実行する演出実行手段と、
前記遊技盤に設けられた特定操作部に対する操作に基づいて、当り確率に関する設定値を決定可能な設定モードを発生させる設定モード発生手段と、を備え、
さらに、前記設定値を表示可能な設定値表示手段と、
遊技に使用した遊技球の数を用いて計算されるベース値を表示可能なベース値表示手段と、
を有し、
前記設定値表示手段により表示される前記設定値と、前記ベース値表示手段により表示される前記ベース値は、前記演出表示装置とは異なる特定表示装置に表示され、
前記特定表示装置にて前記設定値が表示されている場合には、前記特定表示装置にて前記ベース値が表示されないものであり、
さらに、前記設定モード中は、前記ベース値の計算が行われない
ことを特徴とする遊技機。
【手続補正２】
【補正対象書類名】明細書
【補正対象項目名】０００４
【補正方法】変更
【補正の内容】
【０００４】
しかしながら、上述のような設定状態（設定）に関する制御においては改善の余地があった。
【手続補正３】
【補正対象書類名】明細書
【補正対象項目名】０００５
【補正方法】変更
【補正の内容】
【０００５】
そこで、本発明は、上記の実情に鑑み、設定に関する制御を新たな態様で制御することを課題とするものである。
【手続補正４】
【補正対象書類名】明細書
【補正対象項目名】０００６
【補正方法】変更
【補正の内容】
【０００６】
本明細書に開示される発明の一態様は以下の構成を採用する。
遊技領域が形成された遊技盤を備え、遊技者による発射操作によって発射された遊技球が前記遊技領域に設けられた始動口に入球することにより図柄の変動表示を行い、該図柄の変動表示結果として当り結果を導出する場合に、所定の遊技利益を付与する遊技機であ
って、
前記図柄の変動時間を決定する変動時間決定手段と、
前記変動時間決定手段が決定した変動時間に基づいて演出表示装置にて所定の演出を実行する演出実行手段と、
前記遊技盤に設けられた特定操作部に対する操作に基づいて、当り確率に関する設定値を決定可能な設定モードを発生させる設定モード発生手段と、を備え、
さらに、前記設定値を表示可能な設定値表示手段と、
遊技に使用した遊技球の数を用いて計算されるベース値を表示可能なベース値表示手段と、
を有し、
前記設定値表示手段により表示される前記設定値と、前記ベース値表示手段により表示される前記ベース値は、前記演出表示装置とは異なる特定表示装置に表示され、
前記特定表示装置にて前記設定値が表示されている場合には、前記特定表示装置にて前記ベース値が表示されないものであり、
さらに、前記設定モード中は、前記ベース値の計算が行われない
ことを特徴とする遊技機。
【手続補正５】
【補正対象書類名】明細書
【補正対象項目名】０００７
【補正方法】変更
【補正の内容】
【０００７】
本発明の一態様によれば、新たな態様で設定に関する制御を行うことで利便性の向上を図ることができる。
【手続補正書】
【提出日】令和3年4月15日(2021.4.15)
【手続補正１】
【補正対象書類名】特許請求の範囲
【補正対象項目名】全文
【補正方法】変更
【補正の内容】
【特許請求の範囲】
【請求項１】
共役基、及び以下の式：ｍＣｋｓ  Ａｅｓ  Ｇｋｓ  ｍＣｄｓ  Ｔｄｓ  Ｔｄｓ  Ｔｄｓ  Ａｄｓ  Ｔｄｓ  Ｔｄｓ  ｍＣｄｓ  ｍＣｄｓ  Ａｅｓ  Ａｅｓ  Ａｋｓ  Ｇｋ（配列番号７７）に従う一本鎖修飾オリゴヌクレオチドを含む化合物であって、式中、
Ａ＝アデニン、
ｍＣ＝５−メチルシトシン、
Ｇ＝グアニン、
Ｔ＝チミン、
ｅ＝２’−Ｏ−メトキシエチル修飾ヌクレオシド、
ｄ＝２’−デオキシヌクレオシド、
ｓ＝ホスホロチオエートヌクレオシド間結合、および
ｋ＝拘束エチル修飾ヌクレオシドであり、
該共役基が、細胞標的部位、共役リンカー、及び開裂部位を含み、
該細胞標的部位及び該共役リンカーが、以下の化学構造：
【化１】
2021074010.tif 000001
を有する、上記化合物。
【請求項２】
共役基が、修飾オリゴヌクレオチドの５’末端ヌクレオシドの５’−ヒドロキシル基の５’−酸素原子に結合する、請求項１に記載の化合物。
【請求項３】
アニオンの形態が以下の化学構造：
【化２】
2021074010.tif 000002
（配列番号７７）
を有する、化合物。
【請求項４】
以下の化学構造：
【化３】
2021074010.tif 000003
（配列番号７７）
を有する、又はその塩の形態である、化合物。
【請求項５】
塩が、ナトリウム塩又はカリウム塩である、請求項４に記載の化合物。
【請求項６】
以下の化学構造：
【化４】
2021074010.tif 000004
（配列番号７７）
に従う、化合物。
【請求項７】
請求項１〜６のいずれか１項に記載の化合物を含む、医薬組成物。
【請求項８】
薬学的に許容可能な担体もしくは希釈剤をさらに含む、請求項７に記載の医薬組成物。
【請求項９】
薬学的に許容可能な希釈剤が生理食塩水又は水である、請求項８に記載の組成物。
【請求項１０】
医薬品の調製に使用するための、請求項１〜６のいずれか１項に記載の化合物を含む、医薬組成物。
【請求項１１】
細胞、組織、臓器または動物におけるＴＭＰＲＳＳ６を減少させるための、請求項７〜９のいずれか１項に記載の医薬組成物。
【請求項１２】
動物における、鉄蓄積を減少し、ヘプシジン発現レベルを増加し、かつ／またはトランスフェリンの飽和度を減少するための、請求項７〜９のいずれか１項に記載の医薬組成物。
【請求項１３】
動物における過剰鉄蓄積に関連する疾患、障害または病態を治療し、または予防するための、請求項７〜９のいずれか１項に記載の医薬組成物。
【請求項１４】
疾患、障害または病態が、赤血球増加症、ヘモクロマトーシス、及び貧血から選択される、請求項１３に記載の医薬組成物。
【請求項１５】
遺伝性貧血、骨髄異形成症候群、及び重症慢性溶血から選択される疾患、障害または病態を治療し、または予防するための、請求項７〜９のいずれか１項に記載の医薬組成物。
【請求項１６】
遺伝性貧血が、鎌状赤血球貧血、サラセミア、ファンコニー貧血、ダイアモンド・ブラックファン貧血、シュワックマン・ダイアモンド症候群、赤血球膜傷害、グルコース−６−リン酸脱水素酵素欠損症、及び遺伝性出血性毛細血管拡張症から選択される、請求項１５に記載の医薬組成物。
【請求項１７】
サラセミアを治療し、または予防するための、請求項７〜９のいずれか１項に記載の医薬組成物。
【請求項１８】
前記サラセミアが、α−サラセミア、β−サラセミア（軽症型、中間型、及び重症型）及びδ−サラセミアから選択される、請求項１７に記載の医薬組成物。
【手続補正書】
【提出日】令和3年5月12日(2021.5.12)
【手続補正１】
【補正対象書類名】特許請求の範囲
【補正対象項目名】全文
【補正方法】変更
【補正の内容】
【特許請求の範囲】
【請求項１】
修飾オリゴヌクレオチドおよびコンジュゲート基を含む化合物であって、修飾オリゴヌクレオチドが、８〜８０個の連結したヌクレオシドからなり、かつ配列番号１に少なくとも８５％、９０％、９５％、または１００％相補的な核酸塩基配列を有し、好ましくは、修飾オリゴヌクレオチドの核酸塩基配列が、配列番号１の核酸塩基３２９１〜３３１０、３２９０〜３３０９、３２８７〜３３０６、または３２９２〜３３１１内で相補的であり、かつ前記修飾オリゴヌクレオチドが、配列番号１に少なくとも８５％、９０％、９５％、または１００％相補的である、化合物。
【請求項２】
修飾オリゴヌクレオチドが、１０〜３０個の連結したヌクレオシドからなり、かつ配列番号５４、５５、５６、または５７の核酸塩基配列のうちのいずれかの少なくとも８個の連続した核酸塩基を含む核酸塩基配列を有する、請求項１に記載の化合物であって、好ましくは、修飾オリゴヌクレオチドが、
（ａ）配列番号５４、５５、５６、または５７に記載の配列を含む核酸塩基配列；または、
（ｂ）配列番号５４、５５、５６、または５７に記載の配列からなる核酸塩基配列
を有する、請求項１に記載の化合物。
【請求項３】
修飾オリゴヌクレオチドおよびコンジュゲート基を含む化合物であって、修飾オリゴヌクレオチドが、８〜８０個の連結したヌクレオシドからなり、かつ配列番号３に少なくとも８５％、９０％、９５％、または１００％相補的な核酸塩基配列を有し、好ましくは、修飾オリゴヌクレオチドの核酸塩基配列が、配列番号３の核酸塩基１９２〜２１１、１９１〜２１０、１９３〜２１２、３６９〜３８８、３７０〜３８９、７８８〜８０７、７９０〜８０８、または２９５４〜２９７３内で相補的であり、かつ前記修飾オリゴヌクレオチドが、配列番号３に少なくとも８５％、９０％、９５％、または１００％相補的である、化合物。
【請求項４】
修飾オリゴヌクレオチドが、１０〜３０個の連結したヌクレオシドからなり、かつ配列番号５８、５９、６０、６１、６２、６３、６４、または６５の核酸塩基配列のうちのいずれかの少なくとも８個の連続した核酸塩基を含む核酸塩基配列を有する、請求項３に記載の化合物であって、好ましくは、修飾オリゴヌクレオチドが、
（ａ）配列番号５８、５９、６０、６１、６２、６３、６４、または６５に記載の配列を含む核酸塩基配列；または
（ｂ）配列番号５８、５９、６０、６１、６２、６３、６４、または６５に記載の配列からなる核酸塩基配列
を有する、請求項３に記載の化合物。
【請求項５】
修飾オリゴヌクレオチドおよびコンジュゲート基を含む化合物であって、修飾オリゴヌクレオチドが、８〜８０個の連結したヌクレオシドからなり、かつ配列番号７に少なくとも８５％、９０％、９５％、または１００％相補的な核酸塩基配列を有し、好ましくは、修飾オリゴヌクレオチドの核酸塩基配列が、配列番号７の標的開始部位５７８２５、５９９５６、６５９４０、６３５７７、７６２２４、７６２２９、６５９３８、７６２２５、６５９３８、６５９３９、９５５１３、または７６２２９に相補的であり、かつ前記修飾オリゴヌクレオチドが、配列番号７に少なくとも８５％、９０％、９５％、または１００％相補的である、化合物。
【請求項６】
修飾オリゴヌクレオチドが、１０〜３０個の連結したヌクレオシドからなり、かつ配列番号６６、６７、６８、６９、７０、７１、７２、７３、７４、７５、７６、または７７の核酸塩基配列のうちのいずれかの少なくとも８個の連続した核酸塩基を含む核酸塩基配列を有する、請求項５に記載の化合物であって、好ましくは、修飾オリゴヌクレオチドが、（ａ）配列番号６６、６７、６８、６９、７０、７１、７２、７３、７４、７５、７６、または７７に記載の配列を含む核酸塩基配列；または
（ｂ）配列番号６６、６７、６８、６９、７０、７１、７２、７３、７４、７５、７６、または７７に記載の配列からなる核酸塩基配列
を有する、請求項５に記載の化合物。
【請求項７】
修飾オリゴヌクレオチドが少なくとも１個の修飾糖を含む、先行する請求項のいずれかに記載の化合物であって、
（ａ）修飾糖が、４’−（ＣＨ２）−Ｏ−２’（ＬＮＡ）、４’−（ＣＨ２）２−Ｏ−２’（ＥＮＡ）、および４’−ＣＨ（ＣＨ３）−Ｏ−２’（ｃＥｔ）からなる群から選択される二環糖である；または
（ｂ）修飾糖が２’−Ｏ−メトキシエチルである、
化合物。
【請求項８】
修飾オリゴヌクレオチドが少なくとも１個の修飾核酸塩基を含む、先行する請求項のいずれかに記載の化合物であって、好ましくは、修飾核酸塩基が５−メチルシトシンである、化合物。
【請求項９】
（ａ）化合物が一本鎖である；または
（ｂ）化合物が二本鎖である、
先行する請求項のいずれかに記載の化合物。
【請求項１０】
修飾オリゴヌクレオチドが少なくとも１個の修飾ヌクレオシド間結合を含む、先行する請求項のいずれかに記載の化合物。
【請求項１１】
（ａ）修飾ヌクレオシド間結合がホスホロチオエートヌクレオシド間結合である；および／または
（ｂ）修飾オリゴヌクレオチドが少なくとも１個のホスホジエステルヌクレオシド間結合を含む、請求項１０に記載の化合物。
【請求項１２】
コンジュゲート基が、
（ａ）修飾オリゴヌクレオチドの５’末端で；および／または
（ｂ）修飾オリゴヌクレオチドの３’末端で、
修飾オリゴヌクレオチドに連結される、先行する請求項のいずれかに記載の化合物。
【請求項１３】
コンジュゲート基が、
（ａ）正確に１個のリガンドを；
（ｂ）正確に２個のリガンドを；
（ｃ）３個以上のリガンドを；または
（ｄ）正確に３個のリガンドを
含む、先行する請求項のいずれかに記載の化合物。
【請求項１４】
前記コンジュゲート基が、
【化１】
2021074021.tif 000001
【化２】
2021074021.tif 000002
【化３】
2021074021.tif 000003
【化４】
2021074021.tif 000004
または
【化５】
2021074021.tif 000005
を含む、先行する請求項のいずれかに記載の化合物。
【請求項１５】
いずれかの先行する請求項に記載の化合物またはその塩と、薬剤的に許容される担体または希釈剤のうちの少なくとも１つと、を含む、組成物。
【請求項１６】
いずれかの先行する請求項に記載の化合物を含む、プロドラッグ。
【請求項１７】
いずれかの先行する請求項に記載の化合物または組成物を動物に投与することを含む方法であって、好ましくは動物がヒトである、方法。
【請求項１８】
化合物または組成物および第２の薬剤を共投与することを含む、請求項１７に記載の方法であって、好ましくは、化合物または組成物および前記第２の薬剤が同時に投与される、方法。
【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
ＳＴＩＮＧ活性を増加させるか、
ｃＧＡＭＰシンターゼ（ｃＧＡＳ）の活性を増大させるか、
ヒト細胞における2'−5'ホスホジエステル連結を含む環状ジヌクレオチドのレベルを増大させるか、または
ヒト細胞におけるＩ型インターフェロン（ＩＦＮ）の産生を増大させる
ための、有効量の環状ジヌクレオチドを含む薬学的組成物であって、
該環状ジヌクレオチドが、１個の２'−５'ホスホジエステル連結および１個の３'−５'ホスホジエステル連結を含み、かつ該環状ジヌクレオチドのヌクレオシドがグアノシンおよびアデノシンからそれぞれ独立して選択されるが、ただし、該環状ジヌクレオチドが環状［Ｇ（２'５'）ｐＡ（３'５'）ｐ］ではない、薬学的組成物。
【請求項２】
ＳＴＩＮＧ活性を増加させるか、
ｃＧＡＭＰシンターゼ（ｃＧＡＳ）の活性を増大させるか、
ヒト細胞における2'−5'ホスホジエステル連結を含む環状ジヌクレオチドのレベルを増大させるか、または
ヒト細胞におけるＩ型インターフェロン（ＩＦＮ）の産生を増大させる
ことにより細胞増殖性疾患を治療するための、有効量の環状ジヌクレオチドを含む薬学的組成物であって、
該環状ジヌクレオチドが、１個の２'−５'ホスホジエステル連結および１個の３'−５'ホスホジエステル連結を含み、かつ該環状ジヌクレオチドのヌクレオシドがグアノシンおよびアデノシンからそれぞれ独立して選択されるが、ただし、該環状ジヌクレオチドが環状［Ｇ（２'５'）ｐＡ（３'５'）ｐ］ではない、薬学的組成物。
【請求項３】
前記環状ジヌクレオチドが、グアノシンを含む、請求項１または２に記載の薬学的組成物。
【請求項４】
前記環状ジヌクレオチドが、環状［Ｇ（２'５'）ｐＧ（３'５'）ｐ］である、請求項３に記載の薬学的組成物。
【請求項５】
前記環状ジヌクレオチドが、アデノシンを含む、請求項１または２に記載の薬学的組成物。
【請求項６】
前記環状ジヌクレオチドが、環状［Ａ（２'５'）ｐＡ（３'５'）ｐ］である、請求項５に記載の薬学的組成物。
【請求項７】
前記環状ジヌクレオチドが、アデノシンおよびグアノシンを含む、請求項１または２に記載の薬学的組成物。
【請求項８】
前記環状ジヌクレオチドが、環状［Ａ（２'５'）ｐＧ（３'５'）ｐ］である、請求項７に記載の薬学的組成物。
【手続補正書】
【提出日】令和3年10月6日(2021.10.6)
【手続補正１】
【補正対象書類名】特許請求の範囲
【補正対象項目名】全文
【補正方法】変更
【補正の内容】
【特許請求の範囲】
【請求項１】
エアロゾル生成装置において、
シガレットが挿入されるケースの上部に結合される蓋と、
前記蓋の表面に沿って移動することにより、シガレット挿入孔を開閉可能なカバーと、
前記シガレット挿入孔の開閉如何を感知する第１センサと、
前記ケースに前記シガレットが挿入されたか否かを感知する第２センサと、
前記ケースに配置されて前記ケースに挿入された前記シガレットを加熱するヒータと、
前記第１センサによって感知された信号に基づいて前記シガレット挿入孔の開閉如何を決定し、前記シガレット挿入孔が開放されていると判断する場合、前記第２センサを活性化し、前記活性化された第２センサによって感知された信号に基づいて、前記シガレットが前記ケースに挿入されたか否かを判断し、前記シガレットが前記ケースに挿入されたと判断されることにより、前記ヒータが既設定の温度に予熱されるように制御する制御部と、を含み、
前記制御部は、前記シガレット挿入孔が閉鎖されていると判断する場合、前記第２センサによって感知される信号を遮断する、エアロゾル生成装置。
【請求項２】
液状組成物を収容して前記ケースに分離可能に結合され、前記ケースに結合された状態で前記液状組成物を加熱して生成したエアロゾルを前記シガレット側に伝達する蒸気化器と、
前記制御部、前記ヒータ及び前記蒸気化器に電力を供給するバッテリをさらに含む、請求項１に記載のエアロゾル生成装置。
【請求項３】
前記制御部は、前記シガレット挿入孔が開放されていると判断する場合、前記バッテリが前記ヒータ及び前記蒸気化器に電力を供給するように前記バッテリと前記ヒータ及び前記蒸気化器とを電気的に連結する、請求項２に記載のエアロゾル生成装置。
【請求項４】
前記制御部は、前記シガレット挿入孔が閉鎖されていると判断する場合、前記バッテリと前記ヒータ及び前記蒸気化器との電気的な連結を遮断する、請求項２に記載のエアロゾル生成装置。
【請求項５】
前記第１センサは、前記カバーが前記シガレット挿入孔が開放されるように移動する場合、オン信号を発生させ、前記カバーが前記シガレット挿入孔が閉鎖されるように移動する場合、オフ信号を発生させるオン／オフスイッチである、請求項１に記載のエアロゾル生成装置。
【請求項６】
前記第２センサは、前記シガレットに含まれた金属物質から発生する磁界の変化を感知するホールセンサ、前記シガレットが挿入されることで発生する物理的な変化を感知する機械式スイッチ、前記シガレットの接近を感知する赤外線センサ及び前記シガレットの表面に印刷されたパターンを感知する光学センサのうち少なくとも１つを含む、請求項１に記載のエアロゾル生成装置。